(57)【要約】【課題】段ボール箱において、組み立て時の接着工程が不要であり、少ない段ボール紙の使用量で十分な強度を確保できること。【解決手段】内フラップ３は第１側板部２１に連なる。側板延長片６は、第２側板部２２の両側辺に折り目を介して連なり、前記第１側板部２１に重なる重畳部６１および前記重畳部６１から上方へ突出した突出片６２を有する。前記第１側板部２１は、前記内フラップ３との境界部分を根元部として切り起こされた切り起こし片２１ａおよび残りの側板基部２１ｂを有する。前記重畳部６１の一部および前記突出片６２は、前記切り起こし片２１ａの切り起こしにより形成された抜き穴２１ｃに挿入された状態で、前記側板基部２１ｂの内側面および前記切り起こし片２１ａの外側面に沿っている。前記突出片６２は、前記第１側板部２１における前記抜き孔２１ｃの縁部と係合している。【選択図】図１
2020175905.tif 000002
【特許請求の範囲】
【請求項１】
１枚の段ボール紙により構成される段ボール箱であって、
矩形状の底板部と、
それぞれ前記底板部の四辺に折り目を介して連なり起立する４つの側板部と、
前記４つの側板部のうち相互に対向する２つの第１側板部の上辺に折り目を介して連なり前記底板部に対向する２つの内フラップと、
前記４つの側板部のうち残りの２つの第２側板部の一方の上辺に折り目を介して連なり、前記２つの内フラップの上面に重なるとともに前記４つの側板部が形成する上方の開口を塞ぐ蓋部と、
前記２つの第２側板部の両側辺に折り目を介して連なり、それぞれ前記第１側板部に重なる重畳部および重畳部から上方へ突出した突出片を有する４つの側板延長片と、を備え、
前記第１側板部各々は、前記内フラップ各々との境界部分を根元部として切り起こされた切り起こし片および残りの部分である側板基部を有し、
それぞれ前記第１側板部に沿って並ぶ２組の前記側板延長片のペア各々における前記重畳部の一部および前記突出片は、前記第１側板部各々における少なくとも前記切り起こし片の切り起こし跡の部分を含む領域に形成された開口である抜き孔に挿入された状態で、前記第１側板部各々における前記側板基部の内側面および前記切り起こし片の外側面に挟まれており、
前記側板延長片のペア各々の前記突出片は、前記第１側板部各々における前記内フラップ各々との境界部分における前記抜き孔の縁部と係合している、段ボール箱。
【請求項２】
前記４つの側板延長片における前記突出片は、前記蓋部よりも上方へ突出しており、前記突出片における前記蓋部から上方への突出長さは、前記底板部の厚みよりも小さく、
前記底板部における前記２つの第１側板部との境界部分に、前記段ボール箱が積み重ねられたときに前記突出片における前記蓋部から突出する部分を挿入可能な２つのスリットが形成されている、請求項１に記載の段ボール箱。
【請求項３】
前記４つの側板延長片における前記突出片は、前記内フラップよりも上方へ突出しており、前記突出片における前記内フラップから上方への突出長さが、前記蓋部の厚みよりも小さい、請求項１に記載の段ボール箱。
【発明の詳細な説明】
【技術分野】
【０００１】
本発明は、１枚の段ボール紙により構成される段ボール箱に関する。
【背景技術】
【０００２】
直方体状の段ボール箱が、梱包箱として広く用いられている。前記段ボール箱が１枚の段ボール紙により構成される場合、組み立て前、または、解体後の段ボール紙の取り扱いが容易である。
【０００３】
一般的な段ボール箱において、４つの側板部は各筒状に形成される。この場合、４つの側板部が一連に形成されており、さらに連結片が４つの側板部のうちの１つに連なって形成されており、前記連結片が前記４つの側板部のうちの他の１つに接着される。
【０００４】
また、組み立て時の接着工程が不要な段ボール箱が採用される場合もある。例えば、４つの側板部のうちの対向する２つ各々が、外側板および前記外側板の上辺に連なり内側に折り込まれる内側板からなる二重構造を有する。さらに、前記４つの側板部のうちの残りの２つ各々に連なる折り込み片が、前記外側板と前記内側板との間に挟み込まれる（例えば、特許文献１参照）。この場合、前記段ボール箱の組み立て、および、解体が容易である。
【先行技術文献】
【特許文献】
【０００５】
【特許文献１】特開２００１−３４１７２３号公報
【発明の概要】
【発明が解決しようとする課題】
【０００６】
ところで、前記段ボール箱において、組み立て時の接着工程が不要であることに加え、少ない段ボール紙の使用量で十分な強度を確保できることが望まれる。
【０００７】
本発明の目的は、組み立て時の接着工程が不要であり、少ない段ボール紙の使用量で十分な強度を確保できる段ボール箱を提供することにある。
【課題を解決するための手段】
【０００８】
本発明の一の局面に係る段ボール箱は、１枚の段ボール紙により構成される。前記段ボール箱は、矩形状の底板部と、４つの側板部と、２つの内フラップと、蓋部と、４つの側板延長片と、を有する。前記４つの側板部は、それぞれ前記底板部の四辺に折り目を介して連なり起立する。前記２つの内フラップは、前記４つの側板部のうち相互に対向する２つの第１側板部の上辺に折り目を介して連なり前記底板部に対向する。前記蓋部は、前記４つの側板部のうち残りの２つの第２側板部の一方の上辺に折り目を介して連なり、前記２つの内フラップの上面に重なるとともに前記４つの側板部が形成する上方の開口を塞ぐ。前記４つの側板延長片は、前記２つの第２側板部の両側辺に折り目を介して連なり、それぞれ前記第１側板部に重なる重畳部および重畳部から上方へ突出した突出片を有する。前記第１側板部各々は、前記内フラップ各々との境界部分を根元部として切り起こされた切り起こし片および残りの部分である側板基部を有する。それぞれ前記第１側板部に沿って並ぶ２組の前記側板延長片のペア各々における前記重畳部の一部および前記突出片は、前記第１側板部各々における前記切り起こし片の切り起こしにより形成された抜き穴に挿入された状態で、前記第１側板部各々における前記側板基部の内側面および前記切り起こし片の外側面に沿っている。前記側板延長片のペア各々の前記突出片は、前記第１側板部各々における前記内フラップ各々との境界部分における前記抜き孔の縁部と係合している。
【発明の効果】
【０００９】
本発明によれば、組み立て時の接着工程が不要であり、少ない段ボール紙の使用量で十分な強度を確保できる段ボール箱を提供することが可能になる。
【図面の簡単な説明】
【００１０】
【図１】図１は、実施形態に係る段ボール箱の斜視図である。
【図２】図２は、実施形態に係る段ボール箱の展開平面図である。
【図３】図３は、実施形態に係る段ボール箱の断面図であり組み立て途中の第１の状態を表す。
【図４】図４は、実施形態に係る段ボール箱の断面図であり組み立て途中の第２の状態を表す。
【図５】図５は、実施形態に係る段ボール箱の断面図であり蓋が開いた状態を表す。
【図６】図６は、実施形態に係る段ボール箱の断面図であり蓋が閉じた状態を表す。
【図７】図７は、実施形態に係る段ボール箱における第１側板部周辺部の断面図であり蓋が閉じた状態を表す。
【図８】図８は、積み重ねられた２つの段ボール箱の断面図である。
【図９】図９は、積み重ねられた２つの段ボール箱における第１側板部周辺部の断面図である。
【発明を実施するための形態】
【００１１】
以下、図面を参照しながら、本発明の実施形態について説明する。なお、以下の実施形態は、本発明を具体化した一例であって、本発明の技術的範囲を限定するものではない。
【００１２】
図２の展開図に示されるように、実施形態に係る段ボール箱１０は、１枚の段ボール紙により構成される。
【００１３】
図２において、一点鎖線は、谷折りされることによって折り目となる部分を表す。また、図２において、破線は、段ボール箱１０の組み立て途中において一時的に谷折りされる部分を表す。
【００１４】
また、図３〜６，８は、図１に示されるＰ−Ｐ平面における段ボール箱１０の断面を表す。図７，９は、図６に示されるＱ−Ｑ平面における段ボール箱１０の断面を表す。図３，４は、内フラップ３が底板部１に対向する位置へ折り曲げられる前の状態を表す。
【００１５】
図５は、内フラップ３が底板部１に対向する位置へ折り曲げられた後における蓋部４が閉じられる前の状態を表す。図６〜９は、蓋部４が閉じられた状態を表す。
【００１６】
段ボール箱１０は、矩形状の底板部１と、４つの側板部２と、２つの内フラップ３と、蓋部４と、蓋留め片５とを有する。４つの側板部２は、それぞれ底板部１の四辺に折り目を介して連なり起立する（図１参照）。
【００１７】
４つの側板部２は、相互に対向する２つの第１側板部２１と、相互に対向する残り２つの第２側板部２２とを含む。
【００１８】
図１，７に示されるように、２つの内フラップ３は、２つの第１側板部２１の上辺に折り目を介して連なり、底板部１に対向する。蓋部４は、２つの第２側板部２２の一方の上辺に折り目を介して連なっている。
【００１９】
蓋部４は、２つの内フラップ３の上面に重なるとともに、４つの側板部２が形成する上方の開口を塞ぐ。
【００２０】
蓋留め片５は、蓋部４における一方の第２側板部２２に連なる側と反対側の辺に折り目を介して連なる。蓋部４が閉じられた状態において、蓋留め片５は、他方の第２側板部２２と２つの内フラップ３との間の隙間に挿入される。
【００２１】
蓋留め片５は、第２側板部２２および２つの内フラップ３との摩擦抵抗により、蓋部４を閉じられた状態に保持する。
【００２２】
ところで、段ボール箱１０において、組み立て時の接着工程が不要であることに加え、少ない段ボール紙の使用量で十分な強度を確保できることが望まれる。
【００２３】
段ボール箱１０は、組み立て時の接着工程が不要であり、少ない段ボール紙の使用量で十分な強度を確保できる構造を有する。以下、その構造について説明する。
【００２４】
段ボール箱１０は、４つの側板延長片６をさらに有する。４つの側板延長片６は、２つの第２側板部２２の両側辺に折り目を介して連なっている。４つの側板延長片６は、それぞれ第１側板部２１に重なる重畳部６１と、重畳部６１から上方へ突出した突出片６２とを有する。
【００２５】
４つの側板延長片６は、それぞれ第１側板部２１に沿って並ぶ２組の側板延長片６のペアを含む。以下の説明において、２組の側板延長片６のペア各々のことを側板延長片ペア６ｘと称する。
【００２６】
第１側板部２１各々は、内フラップ３各々との境界部分を根元部として切り起こされた切り起こし片２１ａと、残りの部分である側板基部２１ｂとを有する。第１側板部２１各々において、切り起こし片２１ａが切り起こされることにより、少なくとも切り起こし片２１ａの切り起こし跡の部分を含む領域に開口が形成される。以下の説明において、この開口のことを抜き孔２１ｃと称する。
【００２７】
本実施形態において、抜き孔２１ｃが占める領域は、切り起こし片２１ａの切り起こし跡の領域と、一対の拡張領域２１０ｃとを含む（図５，６参照）。一対の拡張領域２１０ｃは、第１側板部２１各々における内フラップ３各々との境界部分において前記切り起こし跡の領域の両側に連なる領域である。なお、抜き孔２１ｃが占める領域が、切り起こし片２１ａの切り起こし跡の領域と一致する領域であってもよい。
【００２８】
２組の側板延長片ペア６ｘ各々における重畳部６１の一部および突出片６２は、抜き孔２１ｃに挿入された状態で、第１側板部２１各々における側板基部２１ｂの内側面および切り起こし片２１ａの外側面に沿っている（図１，６，７参照）。また、重畳部６１の一部および突出片６２は、第１側板部２１各々における側板基部２１ｂの内側面および切り起こし片２１ａの外側面に挟まれている。
【００２９】
なお、図３は、重畳部６１の一部および突出片６２が、抜き孔２１ｃに挿入される前の状態を表す。図４は、重畳部６１の一部および突出片６２が、抜き孔２１ｃに挿入された後、内フラップ３が底板部１に対向する位置へ折り曲げられる前の状態を表す。
【００３０】
側板延長片ペア６ｘ各々の突出片６２は、第１側板部２１各々における内フラップ３各々との境界部分における抜き孔２１ｃの縁部２１ｄと係合している。換言すれば、側板延長片ペア６ｘ各々における２つの突出片６２が、第１側板部２１各々における内フラップ３各々との境界部分において、抜き孔２１ｃに密に嵌め入れられている。本実施形態において、突出片６２は、抜き孔２１ｃにおける一対の拡張領域２１０ｃの縁部２１ｄと係合している（図６参照）。
【００３１】
側板延長片ペア６ｘ各々における重畳部６１の一部および突出片６２が抜き孔２１ｃに挿入され、かつ、突出片６２が抜き孔２１ｃの縁部２１ｄと係合することにより、２つの第１側板部２１および２つの第２側板部２２が、一定の位置関係で起立した状態に保持される。その結果、底板部１および４つの側板部２が形成する直方体状の箱の強度が十分に確保される。
【００３２】
即ち、段ボール箱１０は、組み立て時の接着工程が不要な構造を有している。これにより、段ボール箱１０の組み立て前、または、解体後の段ボール紙の取り扱いが容易である。
【００３３】
さらに、段ボール箱１０は、２つの内フラップ３を備えることにより、２つの第１側板部２１と蓋部４との隙間を塞ぐことができる。
【００３４】
また、第１側板部２１は、側板延長片ペア６ｘの重畳部６１を挟み込む外側板および内側板からなる二重構造ではなく、切り起こし構造を有する。そのため、段ボール箱１０は、二重構造の側板部が採用される場合に比べ、段ボール紙の使用量が少ない。
【００３５】
図６，７に示されるように、４つの側板延長片６における突出片６２は、閉じられた蓋部４よりも上方へ突出している。これにより、突出片６２が抜き孔２１ｃの縁部２１ｄと十分な強度で係合できるように、突出片６２の高さが確保される。
【００３６】
また、本実施形態において、突出片６２における蓋部４から上方への突出長さは、底板部１の厚みよりも小さい。
【００３７】
さらに、底板部１における２つの第１側板部２１との境界部分に、段ボール箱１０が積み重ねられたときに突出片６２における蓋部４から突出する部分を挿入可能な２つのスリット１ａが形成されている（図１，２，８，９参照）。従って、複数の段ボール箱１０を安定的に積み重ねることが可能である。
【００３８】
［応用例］
次に、段ボール箱１０の応用例について説明する。以下、本応用例における、段ボール箱１０と異なる点について説明する。
【００３９】
本応用例において、４つの側板延長片６における突出片６２が、内フラップ３よりも上方へ突出しており、突出片６２における内フラップ３から上方への突出長さが、蓋部４の厚みよりも小さい。
【００４０】
本応用例において、突出片６２は、蓋部４から上方へ突出しない。そのため、底板部１にスリット１ａが形成されていなくても、複数の段ボール箱１０を安定的に積み重ねることが可能である。
【００４１】
さらに、本応用例においても、突出片６２が抜き孔２１ｃの縁部２１ｄと十分な強度で係合できるように、突出片６２の高さが確保される。
【符号の説明】
【００４２】
１      ：底板部
１ａ    ：スリット
２      ：側板部
３      ：内フラップ
４      ：蓋部
５      ：蓋留め片
６      ：側板延長片
６ｘ    ：側板延長片ペア
１０    ：段ボール箱
２１    ：第１側板部
２１ａ  ：切り起こし片
２１ｂ  ：側板基部
２１ｃ  ：抜き孔
２１ｄ  ：縁部
２２    ：第２側板部
６１    ：重畳部
６２    ：突出片
【図１】
2020175905.tif 000003
【図２】
2020175905.tif 000004
【図３】
2020175905.tif 000005
【図４】
2020175905.tif 000006
【図５】
2020175905.tif 000007
【図６】
2020175905.tif 000008
【図７】
2020175905.tif 000009
【図８】
2020175905.tif 000010
【図９】
2020175905.tif 000011